(57)【要約】【課題】基板との間で半田付けを行った際に理想的なフィレットを形成しやすい端子を提供する。【解決手段】端子２が基板３０の貫通孔３１に挿通された状態において貫通孔３１に貫通した状態となる挿通部２６を含み心線４を外側から覆う筒状の本体部１５と、本体部１５と一体に形成され端子２が心線４に接続された状態において挿通部２６よりもケーブル３の先端側に設けられたバネ部２０と、を備えた端子２を構成する。バネ部２０は、心線４に接続された状態の端子２が貫通孔３１へ先端側から挿入されると貫通孔３１によって貫通孔３１の内側へ弾性変形した後、貫通孔３１を通過して挿通部２６が貫通孔３１内に到達したときに復元することにより、端子２の挿入方向と反対方向側から視てバネ部２０の一部が貫通孔３１よりも外側に位置するように構成されている。【選択図】図４
2018181414.tif 000002
【特許請求の範囲】
【請求項１】
ケーブルの先端部の心線に接続可能に構成され又は接続されていて、基板に形成された貫通孔に挿通された状態で該基板との間で半田付けされる端子であって、
前記端子が前記基板の前記貫通孔に挿通された状態において前記貫通孔に貫通した状態となる挿通部を含み、前記心線を外側から覆う筒状の本体部と、
前記本体部に設けられ、前記端子が前記心線に接続された状態において前記挿通部よりも前記ケーブルの先端側に設けられたバネ部と、
を備え、
前記バネ部は、前記心線に接続された状態の前記端子が前記貫通孔へ先端側から挿入されると、前記貫通孔によって該貫通孔の内側へ弾性変形した後、該貫通孔を通過して前記挿通部が前記貫通孔内に到達したときに復元することにより、前記端子の挿入方向と反対方向側から視て、前記バネ部の一部が前記貫通孔よりも外側に位置するように構成されていることを特徴とする、端子。
【請求項２】
請求項１に記載の端子において、
前記バネ部は、前記貫通孔に挿入される側の部分が、前記本体部と一体に形成された又は前記本体部に取り付けられた支点部として設けられ、該支点部を支点として弾性変形可能に構成されていることを特徴とする、端子。
【請求項３】
請求項１又は請求項２に記載の端子において、
前記挿通部は、前記端子が前記心線に接続された状態において、内側に前記心線が配置される円筒状に形成されていることを特徴とする、端子。
【請求項４】
請求項１から請求項３のいずれか１項に記載の端子において、
前記端子が前記心線に接続された状態において前記ケーブルの周方向に沿って間隔を空けて配列される複数の前記バネ部を備えていることを特徴とする、端子。
【請求項５】
請求項１から請求項４のいずれか１項に記載の端子において、
前記本体部に設けられ該本体部から外側へ突出する突出部を更に備え、
前記端子が前記基板の前記貫通孔に挿通された状態において、前記基板は、前記突出部と前記バネ部との間に挟まれることを特徴とする、端子。
【発明の詳細な説明】
【技術分野】
【０００１】
本発明は、ケーブルを基板へ電気的に接続するための端子に関する。
【背景技術】
【０００２】
例えば、特許文献１には、電線１に端子５（いわゆるボードイン端子）を接続し、端子を基板９に接続し、電線を端子側から屈曲させる電線付き端子と基板の接続構造において、端子から電線の屈曲部分にかけて補強用の可撓性のチューブ４を装着することが開示されている。これにより、電線の耐屈曲性を確保することができる。
【先行技術文献】
【特許文献】
【０００３】
【特許文献１】特開２００９−０２１１６７号公報
【発明の概要】
【発明が解決しようとする課題】
【０００４】
しかしながら、上述した端子では、基板との間で半田付けを行った際に理想的なフィレットが形成しにくい場合がある。そうなると、一旦半田付けを行った後、更に追加で半田付けを行うことにより十分な量の半田付けを行うことが考えられるが、追加の作業工程が必要となる。
【０００５】
本発明は、上記課題を解決するためのものであり、その目的は、基板との間で半田付けを行った際に理想的なフィレットを形成しやすい端子を提供することである。
【課題を解決するための手段】
【０００６】
（１）上記課題を解決するために、この発明のある局面に係るコネクタは、ケーブルの先端部の心線に接続可能に構成され又は接続されていて、基板に形成された貫通孔に挿通された状態で該基板との間で半田付けされる端子であって、前記端子が前記基板の前記貫通孔に挿通された状態において前記貫通孔に貫通した状態となる挿通部を含み、前記心線を外側から覆う筒状の本体部と、前記本体部に設けられ、前記端子が前記心線に接続された状態において前記挿通部よりも前記ケーブルの先端側に設けられたバネ部と、を備え、前記バネ部は、前記心線に接続された状態の前記端子が前記貫通孔へ先端側から挿入されると、前記貫通孔によって該貫通孔の内側へ弾性変形した後、該貫通孔を通過して前記挿通部が前記貫通孔内に到達したときに復元することにより、前記端子の挿入方向と反対方向側から視て、前記バネ部の一部が前記貫通孔よりも外側に位置するように構成されている。
【０００７】
この構成によれば、ケーブルの心線に接続された端子が基板の貫通孔に挿入された状態において、端子及び心線が基板に対して半田付けされる。これにより、ケーブルの心線を基板に対して半田付けすることができる。
【０００８】
そして、この構成によれば、ケーブルの心線に接続された端子が基板の貫通孔に挿入される際、端子のバネ部が、貫通孔によって該貫通孔の内側へ弾性変形する。そこから更に、端子が基板側へ挿入されると、バネ部が復元して、該バネ部の少なくとも一部が貫通孔の外側に位置する。これにより、バネ部が基板に対して引っ掛かるため、ケーブルの抜けを防止することができる。
【０００９】
更に、この構成によれば、端子が基板の貫通孔に挿通されて挿通部が貫通孔内に到達した状態において、端子の挿入方向と反対方向側から視て、少なくともバネ部の一部が貫通孔よりも外側に位置している。そうなると、基板における半田付けが行われる側の面と本体部との間に、上述した少なくともバネ部の一部が配置されることになる。これにより、端子を基板に対して半田付けする際、本体部とバネ部との間、及びバネ部と基板との間で、溶融した半田が保持されやすくなる。その結果、半田付けの際、端子と基板との間で理想的なフィレットが形成されやすくなる。
【００１０】
従って、この構成によると、基板との間で半田付けを行った際に理想的なフィレットを形成しやすい端子を提供できる。
【００１１】
（２）好ましくは、前記バネ部は、前記貫通孔に挿入される側の部分が、前記本体部と一体に形成された又は前記本体部に取り付けられた支点部として設けられ、該支点部を支点として弾性変形可能に構成されている。
【００１２】
この構成によれば、板バネ状のバネ部を形成できるため、切り起こし等によって、或いは本体部と別体に設けられた板バネ状のバネ部を本体部に取り付けることによって、容易にバネ部を形成することができる。
【００１３】
（３）好ましくは、前記挿通部は、前記端子が前記心線に接続された状態において、内側に前記心線が配置される円筒状に形成されている。
【００１４】
この構成によれば、貫通孔の内径を挿通部の外径よりもやや大きくすることで、端子が基板の貫通孔に挿通された状態において、挿通部と貫通孔との間の隙間を小さくすることができる。或いは、この構成によれば、貫通孔の内径を挿通部の外径と同径、又は貫通孔の内径を挿通部の外径よりも僅かに小さくすることで、端子が基板の貫通孔に挿通された状態において、挿通部と貫通孔との間の隙間を極めて小さくすることができる。そうすると、端子が基板の貫通孔に挿通され且つ心線が基板に半田付けされる前の状態において、端子が基板に対して大きく傾きにくくなる。これにより、ケーブルを基板に対して略垂直に保った状態で心線と基板とを半田付けすることができる。
【００１５】
また、この構成によれば、貫通孔の内径を挿通部の外径よりもやや大きくすることで、端子が基板の貫通孔に挿通された状態において、挿通部と貫通孔との間の隙間を小さくすることができる。或いは、この構成によれば、貫通孔の内径を挿通部の外径と同径、又は貫通孔の内径を挿通部の外径よりも僅かに小さくすることで、端子が基板の貫通孔に挿通された状態において、挿通部と貫通孔との間の隙間を極めて小さくすることができる。そうすると、基板と心線とを半田付けする際、毛細管現象によってその隙間に溶融した半田が吸い上げられ易くなる。これにより、基板と心線との間に行き渡る半田量を確保することができる。
【００１６】
（４）好ましくは、前記端子は、前記端子が前記心線に接続された状態において前記ケーブルの周方向に沿って間隔を空けて配列される複数の前記バネ部を備えている。
【００１７】
この構成によれば、互いに間隔を空けて複数のバネ部が配置されているため、半田付けの際、より理想的な形状のフィレットを形成することができる。
【００１８】
（５）好ましくは、前記端子は、前記本体部に設けられ該本体部から外側へ突出する突出部を更に備え、前記端子が前記基板の前記貫通孔に挿通された状態において、前記基板は、前記突出部と前記バネ部との間に挟まれる。
【００１９】
この構成によれば、端子が基板の貫通孔に挿通された状態において、基板が突出部とバネ部との間に挟まれるため、半田付けされる際の端子部のぐらつきを防止できる。これにより、基板に対して半田付けしやすい端子を提供できる。
【発明の効果】
【００２０】
本発明によれば、基板との間で半田付けを行った際に理想的なフィレットを形成しやすい端子を提供できる。
【図面の簡単な説明】
【００２１】
【図１】本発明の実施形態に係る端子が心線にかしめられた状態を示す図であって、（Ａ）は斜視図、（Ｂ）は側面図である。
【図２】図１に示す端子が心線にかしめられる前の状態を示す図であって、（Ａ）は前方側から視た斜視図、（Ｂ）は後方側から視た斜視図、である。
【図３】図１に示す端子がキャリアから切り離される前の状態を示す図であって、（Ａ）は正面図、（Ｂ）は側面図、である。
【図４】心線にかしめられた端子が基板の貫通孔に挿入される様子を示す図であって、（Ａ）は挿入前、（Ｂ）は挿入途中、（Ｃ）は挿入後、を示す図である。
【図５】図４（Ｃ）に示す状態の端子が基板に半田付けされた状態を示す図である。
【図６】図６（Ａ）は、端子に対してケーブルの心線（心線露出部）がセットされる前の状態を示す図、図６（Ｂ）は、端子に対してケーブルの心線がセットされた後の状態を示す図、である。
【発明を実施するための形態】
【００２２】
以下、本発明を実施するための形態について図面を参照しつつ説明する。本発明は、ケーブルを基板へ電気的に接続するための端子に広く適用できる。
【００２３】
図１は、本発明の実施形態に係る端子２が心線４にかしめられた状態を示す図であって、図１（Ａ）は斜視図、図１（Ｂ）は側面図である。また、図２は、図１に示す端子２が心線４にかしめられる前の状態を示す図であって、図２（Ａ）は前方側から視た斜視図、図２（Ｂ）は後方側から視た斜視図、である。また、図３は、図１に示す端子２がキャリア８から切り離される前の状態を示す図であって、図３（Ａ）は正面図、図３（Ｂ）は側面図、である。また、図４は、心線４にかしめられた端子２が基板３０の貫通孔３１に挿入される様子を示す図であって、（Ａ）は挿入前、（Ｂ）は挿入途中、（Ｃ）は挿入後、を示す図である。また、図５は、図４（Ｃ）に示す状態の端子２が基板３０に半田付けされた状態を示す図である。また、図６（Ａ）は、端子に対してケーブルの心線（心線露出部）がセットされる前の状態を示す図であって、図６（Ｂ）は、端子に対してケーブルの心線がセットされた後の状態を示す図、である。
【００２４】
なお、各図において、説明の便宜上、前と記載された矢印が指示する方向を前側又は前方と称し、後と記載された矢印が指示する方向を後側又は後方と称し、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称する。下方は、ケーブル３にかしめられた端子２が基板３０に形成された貫通孔３１へ挿入される方向である。
【００２５】
本実施形態に係る端子２は、ボードイン端子とも呼ばれる端子である。端子２は、ケーブル３の心線４にかしめられた状態で、基板３０に形成された貫通孔３１に挿入される。そして、その状態において端子２と基板３０とが半田付けされることにより、心線４と基板３０とが半田付けされて電気的に接続される。すなわち、端子２は、ケーブル３の心線４と基板３０とを半田付けする際に用いられる半田付け用補助部品、としての機能を有している。本実施形態では、端子２と、該端子２がかしめられたケーブル３とを備えたケーブルアッシー１が構成される。
【００２６】
［ケーブルにかしめられる前の端子の形状について］
端子２は、ケーブル３の先端部の心線４に接続可能又は接続されていて、基板３０に形成された貫通孔３１に挿通された状態で該基板３０との間で半田付けされるものである。端子２は、板状の金属部材がプレス加工によって打ち抜かれることにより所定形状を有するように形成されている。端子２は、図２（Ａ）及び図２（Ｂ）に示すように、細長部１１と、右側部１２と、左側部１３とを有し、これらが一体に形成されている。
【００２７】
細長部１１は、端子２の後側を構成する部分であって、上下方向に延びるように設けられている。細長部１１は、前後方向に所定の厚みを有し且つ左右方向に所定の幅を有する、上下方向に細長い板状の部分である。
【００２８】
右側部１２は、端子２の右側を構成する部分である。右側部１２は、細長部１１における右側の縁部から前方へ延びるように設けられ、右側へやや傾いている。細長部１１と右側部１２との間の部分は、Ｒ状に形成されている。
【００２９】
右側部１２には、右側切欠き部１２ａが形成されている。この右側切欠き部１２ａは、右側部１２の上下方向中央部よりも上方寄りの部分に形成されている。右側切欠き部１２ａは、右側部１２における前側の縁部から細長部１１のやや手前まで延びるように形成されている。
【００３０】
左側部１３は、端子２の左側を構成する部分である。左側部１３は、細長部１１における左側の縁部から前方へ延びるように設けられ、左側へやや傾いている。細長部１１と左側部１３との間の部分は、Ｒ状に形成されている。
【００３１】
左側部１３には、左側切欠き部１３ａが形成されている。この左側切欠き部１３ａは、左側部１３の上下方向中央部よりも上方寄りの部分に形成されている。左側切欠き部１３ａは、左側部１３における前側の縁部から細長部１１のやや手前まで延びるように形成されている。
【００３２】
上述のように形成された細長部１１、右側部１２、及び左側部１３により、端子２は、本体部１５、かしめ部１６、及び連結部１７を有することになる。
【００３３】
本体部１５は、右側部１２における右側切欠き部１２ａよりも下側の部分である本体右側部１５Ｒと、左側部１３における左側切欠き部１３ａよりも下側の部分である本体左側部１５Ｌと、細長部１１における本体右側部１５Ｒと本体左側部１５Ｌとの間で挟まれている部分である本体中央部１５Ｃと、で構成されている。本体部１５は、心線４における先端側の部分を外側から覆う部分として設けられている。本体右側部１５Ｒの前側の縁部と本体左側部１５Ｌの前側の縁部との間の寸法ｄ１は、心線４の外径φ（図６参照）よりも大きくなるように設定されている。
【００３４】
かしめ部１６は、右側部１２における右側切欠き部１２ａよりも上側の部分である右側かしめ部１６Ｒと、左側部１３における左側切欠き部１３ａよりも上側の部分である左側かしめ部１６Ｌと、細長部１１における右側かしめ部１６Ｒと左側かしめ部１６Ｌとの間で挟まれている部分である中央かしめ部１６Ｃと、で構成されている。かしめ部１６は、心線４にかしめられる部分として設けられている。右側かしめ部１６Ｒの前側の縁部と左側かしめ部１６Ｌの前側の縁部との間の寸法ｄ２は、心線４の外径φ（図６参照）よりも大きくなるように設定されている。
【００３５】
連結部１７は、本体部１５とかしめ部１６との間に設けられた部分であって、本体部１５とかしめ部１６とを連結する部分として設けられている。
【００３６】
また、端子２は、３つのバネ部２０と、３つの切り起こし部２５（突出部）とを有している。バネ部２０及び切り起こし部２５は、本体部１５に形成されている。
【００３７】
３つのバネ部２０は、右側バネ部２０Ｒと、左側バネ部２０Ｌと、中央バネ部２０Ｃとで構成されている。図２（Ａ）及び図２（Ｂ）に示すように、右側バネ部２０Ｒは、本体右側部１５Ｒにおける下側の部分に形成されている。左側バネ部２０Ｌは、本体左側部１５Ｌにおける下側の部分に形成されている。中央バネ部２０Ｃは、本体中央部１５Ｃにおける下側の部分に形成されている。各バネ部２０は、切り起こしによって板バネ状に形成されている。各バネ部２０は、下側の部分が、本体部１５と一体に形成された支点部２１として設けられ、該支点部２１を支点として弾性変形可能に構成されている。各バネ部２０は、上方へいくに連れて外側へ広がる片持ち梁状に形成されている。
【００３８】
３つの切り起こし部２５は、右側切り起こし部２５Ｒと、左側切り起こし部２５Ｌと、中央切り起こし部２５Ｃとで構成されている。各切り起こし部２５は、本体部１５に設けられ、本体部１５から外側へ突出するように設けられている。右側切り起こし部２５Ｒは、本体右側部１５Ｒにおける右側バネ部２０Ｒよりも上側の部分に形成されている。左側切り起こし部２５Ｌは、本体左側部１５Ｌにおける左側バネ部２０Ｌよりも上側の部分に形成されている。中央切り起こし部２５Ｃは、本体中央部１５Ｃにおける中央バネ部２０Ｃよりも上側の部分に形成されている。右側切り起こし部２５Ｒは、先端部が右側へ向かって延びるように形成された切り起こし部である。左側切り起こし部２５Ｌは、先端部が左側へ向かって延びるように形成された切り起こし部である。中央切り起こし部２５Ｃは、上下方向に間隔を空けて形成された左右方向に延びる２本のスリットの間の部分が外側（後側）に向かって切り起こされた部分である。
【００３９】
［ケーブルにかしめられた状態の端子の形状について］
端子２は、ケーブル３にかしめられた状態において、図１（Ａ）及び図１（Ｂ）に示すような形状を有している。ケーブル３では、その先端部分における被覆６が切除されることにより心線４が外部に露出している。ケーブル３では、心線４におけるその露出した部分（心線露出部５）の基端部分にかしめ部１６がかしめられている。これにより、かしめ部１６が心線露出部５の基端部分に密着するように前後方向に扁平な形状となっている。一方、本体部１５は、心線露出部５の先端部分を外側から覆う円筒状に形成されている。
【００４０】
このように、端子２がケーブル３にかしめられた状態において、３つのバネ部２０は、円筒状に形成された本体部１５の周方向に沿って（ケーブル３の周方向に沿って）間隔を空けて配置されている。また、３つの切り起こし部２５も、本体部１５の周方向において互いに間隔を空けて配置されている。
【００４１】
［挿通部の形状］
端子２がケーブル３にかしめられた状態において、本体部１５の上下方向における、３つのバネ部２０と３つの切り起こし部２５との間の部分は、端子２が基板３０の貫通孔３１に挿通された状態において貫通孔３１に貫通した状態となる挿通部２６として設けられている。
【００４２】
挿通部２６は、本体部１５が曲げられることにより円筒状に形成された部分である。挿通部２６の外径は、基板３０の貫通孔３１の内径よりも僅かに小さくなるように設定されている。挿通部２６の内側には、心線４が配置されている。
【００４３】
なお、端子２が心線４に接続された状態において（図１に示す状態において）、バネ部２０は、挿通部２６よりもケーブル３の先端側に設けられている。
【００４４】
［基板に対する端子の取り付けについて］
ケーブルアッシー１の端子２が基板３０の貫通孔３１に挿入される様子を、図４を用いて説明する。
【００４５】
ケーブルアッシー１の端子２を貫通孔３１へ挿入する際、作業者は、ケーブルアッシー１を、基板３０の貫通孔３１に向かって下方へ移動させ（図４（Ａ）参照）、端子２が貫通孔３１へ先端側から挿入される（図４（Ｂ）参照）。これにより、バネ部２０は、図４（Ｂ）に示すように、貫通孔３１によって該貫通孔３１の内側へ弾性変形する。
【００４６】
作業者が、図４（Ｂ）に示す状態からケーブルアッシー１を更に下方へ移動させると、バネ部２０が貫通孔３１を通過して挿通部２６が貫通孔３１内に到達することにより、バネ部２０が復元する（図４（Ｃ）参照）。また、これと同時に、図４（Ｃ）に示すように、切り起こし部２５が基板３０の上面に当接する。これにより、基板３０が、バネ部２０と切り起こし部２５との間で挟まれた状態となり、その結果、基板３０に対して端子２が固定される。この状態において（言い換えれば、端子２が基板３０の貫通孔３１に挿通された状態において）、挿通部２６は貫通孔３１に貫通した状態となる。
【００４７】
また、この状態において、バネ部２０の一部（具体的には、図４（Ｃ）を参照して、バネ部２０の先端部２２）は、下側から視て（端子２の挿入方向と反対側から視て）貫通孔３１よりも外側に位置する。これにより、ケーブルアッシー１が上方へ引っ張られても、バネ部２０の先端部２２が基板に引っ掛かるため、基板３０に対するケーブルアッシー１の抜けを防止することができる。
【００４８】
図４（Ｃ）に示す状態の後、心線４と基板３０との間の半田付けが行われる。具体的には、図５を参照して、基板３０の下面３０ａに設けられたランドと、端子２における基板３０の下面３０ａよりも下方に露出した部分との間で半田付けが行われる。これにより、溶融した半田が、端子２と心線４との隙間、或いは複数の心線４の間に吸い上げられ、基板３０のランドと心線４との間が半田付けされる。これにより、心線４と基板３０との間に半田部３２を設けることができる。
【００４９】
そして、本実施形態に係る端子２では、図５を参照して、端子２における円筒状に形成された部分であって基板３０よりも下方に突出した部分である本体部１５と、基板３０との間に、斜め方向に延びるバネ部２０が配置された状態となる。このバネ部２０により、本体部１５の外周面と基板３０との間に半田付けを行う際、本体部１５の外周面とバネ部２０との間、及びバネ部２０と基板３０との間に半田が行き渡るため、図５に示すように、端子２の先端側から基板３０の下面３０ａ側に向かって裾が広がるような理想的なフィレットを有する半田部３２を形成することができる。
【００５０】
［キャリアから切り離される前の端子について］
本実施形態に係る端子２は、図３（Ａ）及び図３（Ｂ）を参照して、キャリア８から切り離される前の状態では、左右方向に等間隔に並んだ状態となっている。この状態において、できるだけ隣接する端子２間の間隔を狭めることができれば、帯状のコイル材から多くの端子２を形成することが可能となる。
【００５１】
この点につき、本実施形態に係る端子２は、かしめ部１６が心線４に対してかしめられる。こうすると、例えばかしめ部が被覆にかしめられる場合と比べて、かしめ部の長さを短くすることができる。そうすると、図３に示す状態において、かしめ部の長さが長い場合と比べて、隣接する端子２間の間隔を狭めることができる。すなわち、本実施形態に係る端子２によれば、１本のコイル材から多くの端子２を効率的に形成することができる。
【００５２】
また、本実施形態に係る端子２のように、心線４に対してかしめられるかしめ部１６を設けることで、かしめ部が被覆にかしめられる場合に生じ得た、半田付け時における被覆溶けを防止することができる。
【００５３】
また、本実施形態に係る端子２のように、心線４に対してかしめられるかしめ部１６を設けることで、被覆にかしめられるかしめ部を設ける必要がなくなる。そうすると、例えば複数種類のケーブルに対して端子をかしめる場合、心線の外径が同じであれば、被覆部分の外径が異なっていても、同じ寸法の端子を使用することができる。言い換えれば、本実施形態に係る端子２によれば、汎用性の高い端子を提供できる。
【００５４】
［心線に対する端子のかしめについて］
図６（Ａ）は、端子２に対してケーブル３の心線４（心線露出部５）がセットされる前の状態を示す図であって、図６（Ｂ）は、端子２に対してケーブル３の心線４がセットされた後の状態を示す図、である。以下では、図６（Ａ）及び図６（Ｂ）を参照して、ケーブル３の心線４に端子２がかしめられるまでの工程について説明する。
【００５５】
上述したように、本体右側部１５Ｒの前側の縁部と本体左側部１５Ｌの前側の縁部との間の寸法ｄ１は、心線４の外径φよりも大きくなるように設定されている。同じように、右側かしめ部１６Ｒの前側の縁部と左側かしめ部１６Ｌの前側の縁部との間の寸法ｄ２は、心線４の外径φよりも大きくなるように設定されている。このように寸法ｄ１，ｄ２を設定すると、図６（Ａ）に示すように、心線４を、端子２の前側（言い換えれば、本体部１５及びかしめ部１６が大きく開口している側）から端子２へセットすることができる（図６（Ｂ）参照）。端子２をこのように構成することで、全自動圧着機に対応可能なボードイン端子を提供できる。
【００５６】
図６（Ｂ）に示す状態から、右側かしめ部１６Ｒ及び左側かしめ部１６Ｌが心線４側へかしめられるとともに、本体部１５が円筒形状となるように本体右側部１５Ｒ及び本体左側部１５Ｌが内側へ曲げられることにより、端子２をケーブル３に対して取り付けることができる（図１参照）。
【００５７】
［効果］
以上のように、本実施形態に係る端子２によれば、ケーブル３の心線４に接続された端子２が基板３０の貫通孔３１に挿入された状態において、端子２及び心線４が基板３０に対して半田付けされる。これにより、ケーブル３の心線４を基板３０に対して半田付けすることができる。
【００５８】
そして、端子２によれば、ケーブル３の心線４に接続された端子２が基板３０の貫通孔３１に挿入される際、端子２のバネ部２０が、貫通孔３１によって該貫通孔３１の内側へ弾性変形する。そこから更に、端子２が基板３０側へ挿入されると、バネ部２０が復元して、該バネ部２０の先端部２２が貫通孔３１の外側に位置する。これにより、バネ部２０が基板３０に対して引っ掛かるため、ケーブル３が上方へ抜けてしまうことを防止することができる。
【００５９】
更に、端子２によれば、端子２が基板３０の貫通孔３１に挿通されて挿通部２６が貫通孔３１内に到達した状態において、端子２の挿入方向と反対方向側から視て（下側から視て）、バネ部２０の先端部２２が貫通孔３１よりも外側に位置している。そうなると、基板３０における半田付けが行われる側の面（下面３０ａ）と本体部１５との間に、バネ部２０の先端部２２が配置されることになる。これにより、端子２を基板３０の下面３０ａに対して半田付けする際、本体部１５とバネ部２０との間、及びバネ部２０と基板３０との間で、溶融した半田が保持されやすくなる。その結果、半田付けの際、端子２と基板３０との間で理想的なフィレットが形成されやすくなる。
【００６０】
従って、端子２によると、基板３０との間で半田付けを行った際に理想的なフィレットを形成しやすい端子２を提供できる。
【００６１】
また、端子２によれば、板バネ状のバネ部２０を形成できるため、切り起こし等によって容易にバネ部を形成することができる。
【００６２】
また、端子２のように、貫通孔３１の内径を挿通部２６の外径よりもやや大きくすることで、端子２が基板３０の貫通孔３１に挿通された状態において、挿通部２６と貫通孔３１との間の隙間を小さくすることができる。そうすると、端子２が基板３０の貫通孔３１に挿通され且つ心線４が基板３０に半田付けされる前の状態において（図４（Ｃ）に示す状態において）、端子２が基板３０に対して大きく傾きにくくなる。これにより、ケーブル３を基板３０に対して略垂直に保った状態で心線４と基板３０とを半田付けすることができる。
【００６３】
また、端子２のように、貫通孔３１の内径を挿通部２６の外径よりもやや大きくすることで、端子２が基板３０の貫通孔３１に挿通された状態において、挿通部２６と貫通孔３１との間の隙間を小さくすることができる。そうすると、基板３０と心線４とを半田付けする際、毛細管現象によってその隙間に溶融した半田が吸い上げられ易くなる。これにより、基板３０と心線４との間に行き渡る半田量を確保することができる。
【００６４】
また、端子２によれば、互いに間隔を空けて複数のバネ部２０が配置されているため、半田付けの際、より理想的な形状のフィレットを形成することができる。
【００６５】
以上、本発明の実施形態について説明したが、本発明はこれらに限定されるものではなく、本発明の趣旨を逸脱しない限りにおいて種々の変更が可能である。
【００６６】
［変形例］
（１）上述した実施形態では、バネ部２０の形状が図１に示す形状である例を挙げて説明したが、これに限らず、バネ部の形状は、その他の形状であってもよい。
【００６７】
（２）上述した実施形態では、心線４にかしめ部１６がかしめられることにより端子２がケーブル３に対して固定される例を挙げて説明したが、これに限らない。具体的には、ケーブル３の被覆６にかしめられるかしめ部を有する端子を構成してもよい。
【００６８】
（３）上述した実施形態では、本体部１５とかしめ部１６とが別々に設けられている例を挙げて説明したが、これに限らない。具体的には、上述のようなかしめ部１６が省略された端子を構成してもよい。この場合、例えば一例として、本体部が心線にかしめられる。言い換えれば、本体部がかしめ部の機能も果たすことになる。
【００６９】
（４）上述した実施形態では、バネ部２０が本体部１５と一体に形成されている例を挙げて説明したが、これに限らず、本体部と別体に構成されたバネ部が本体部に取り付けられる構成であってもよい。
【産業上の利用可能性】
【００７０】
本発明は、ケーブルを基板へ電気的に接続するための端子に広く適用することができる。
【符号の説明】
【００７１】
１                    ケーブルアッシー
２                    端子
３                    ケーブル
４                    心線
１５                  本体部
２０                  バネ部
２６                  挿通部
３０                  基板
３１                  貫通孔
【図１】
2018181414.tif 000003
【図２】
2018181414.tif 000004
【図３】
2018181414.tif 000005
【図４】
2018181414.tif 000006
【図５】
2018181414.tif 000007
【図６】
2018181414.tif 000008